(57)【特許請求の範囲】
【請求項１】
対向する二つの挟持片の一方側が連結され、他方側が自由端とされ、前記挟持片で二つの部材の突き合わせ端面部に形成したフランジどうしを接合した状態で挟持するクリップにおいて、自由端側に取り付けられて両挟持片を連結するロック部を備えて成り、該ロック部は連結を解除するときに工具で操作されるロック解除部が形成され、前記ロック部は、一方の挟持片の自由端側に取り付けられた閉塞板及びその先端の弾性折り返し片と、他方の挟持片の自由端側に取り付けられた弾性折り返し片の格納ボックスとから成り、前記ロック解除部は、格納ボックスに設けた工具の挿込口を有し、格納ボックス内の弾性折り返し片を圧縮操作できるものであることを特徴とする抜け防止機構付きクリップ。
【発明の詳細な説明】
【０００１】
【発明の属する技術分野】
本発明は、フランジどうしを挟持して接続管の抜け止め等を行うクリップにおいて、工具を用いない限りは解放することのできないようにした抜け防止機構に関するものである。
【０００２】
【従来の技術】
最近では、接続管を相手方部材へ接続する場合に、図５に示すようなクリップ１を用いてワンタッチ式で接続することが行われている。このクリップ１は、一枚の帯状の金属部材を折曲形成し、対向する二つの挟持片１ａ及び１ｂを設けたものであり、二つの挟持片１ａ及び１ｂの一方側は連結され、他方側は自由端とされている。またクリップ１の中央部には管の挿通部２が形成されており、自由端側は管の接続部位への装着のための開口部３とされており、更に両挟持片１ａ及び１ｂには長窓４及び５が形成されている。そして、全体として弾性を有している。このクリップ１を使用する場合は、図６に示すように、接続管６と相手方部材７とにそれぞれ対向するフランジ８及び９を設けることが必要である。そして、先ず、同図に示すように、接続管６の先端部１０を相手方部材７へ内嵌し、両部材のフランジ８及び９どうしを接合させている。尚、両者間のシールは、接続管６の先端部１０に外嵌装着したＯリング１１によって行っている。
【０００３】
次に、クリップ１を準備し、図７に示すように、その開口部３から前記フランジ８及び９どうしの接合部に外嵌装着する。これにより、フランジ８及び９どうしの一部が前記クリップ１の長窓４及び５から外へ飛び出すようになり、接続管６の抜け止めが行われる。
【０００４】
ところが、前記クリップ１は、図７に示す装着後の状態において、同図の左側方向（開口部３の方向）から外部力が加わると、クリップ１が容易に脱落するという欠点があった。このような脱落があると、接続管６が相手方部材７から外れ、流体が漏出するという欠点があった。そのため、本出願人は、図８に示すように、特開平８−２８７７０号公報で開示されたクリップ１の抜止カバー１２の技術を開発済みである。この先願技術に係る抜止カバー１２は、クリップ１の開口端３ａ及び３ｂどうしに跨がってこれを被覆保護するものであり、クリップ１の開口端３ａ及び３ｂの外周面に接合してその拡開を防止する拡開防止壁１４及び１５と、フランジ８及び９の外周面に当接する当接部１６とを有している。従って、この抜止カバー１２によりクリップ１の開口端３ａ及び３ｂどうしが開くことがなくなり、クリップ１の脱落を防止することができる。
【０００５】
【発明が解決しようとする課題】
ところが、前記先願技術に係る抜止カバー１２は、これを上方向へ押し上げることにより容易に取り外すことが可能である。従って、パブリックな現場に設置される洗面器等が壁掛け式でその給排水管が露出しているような箇所の管接続部のクリップ１に装着される場合には、痴呆性老人や子供のイタズラなどによって前記抜止カバー１２が取り外され、更にクリップ１が取り外される虞れがあるという欠点があった。
【０００６】
【課題を解決するための手段】
本発明は従来の前記課題に鑑みてこれを改良除去したものであって、工具を用いない限りはクリップを取り外すことのできない抜止機構を提供せんとするものである。
【０００７】
而して、前記課題を解決するために本発明が採用した手段は、対向する二つの挟持片の一方側が連結され、他方側が自由端とされ、前記挟持片で二つの部材の突き合わせ端面部に形成したフランジどうしを接合した状態で挟持するクリップにおいて、自由端側に取り付けられて両挟持片を連結するロック部を備えて成り、該ロック部は連結を解除するときに工具で操作されるロック解除部が形成され、前記ロック部は、一方の挟持片の自由端側に取り付けられた閉塞板及びその先端の弾性折り返し片と、他方の挟持片の自由端側に取り付けられた弾性折り返し片の格納ボックスとから成り、前記ロック解除部は、格納ボックスに設けた工具の挿込口を有し、格納ボックス内の弾性折り返し片を圧縮操作できるものであることを特徴とする抜け防止機構付きクリップである。クリップの自由端側は、装着後にロック部により、その抜止がなされる。しかも、ロック部は工具を用いないとロック解除できない機構であり、素手による子供等のいたずらでは取り外すことができない。
【０００８】
本発明は、一方の挟持片の自由端側に取り付けられた閉塞板の弾性折り返し片を、他方の挟持片の自由端側に開閉自在に取り付けられた格納ボックスに挿入した後は、工具を用いないとロック解除できない機構であり、素手による子供等のいたずらでは取り外すことができない。
【００１１】
【発明の実施の形態】
以下に、本発明の構成を図面に示す発明の実施の形態に基づいて説明すると次の通りである。なお、従来の場合と同一符号は同一部材である。図１は、本発明の第１の実施の形態に係る抜け防止機構付きクリップ１７を示すものであり、図（Ａ）はクリップ１７の一部断面平面図、図（Ｂ）は側面図、図（Ｃ）は斜視図である。このクリップ１７の本体部分の基本的な構成は、図５，図７及び図８に示した従来のものと同じである。而して、このクリップ１７の自由端側には、両挟持片１ａ及び１ｂを連結するロック部１８が設けられており、該ロック部１８は分離するときにドライバー等の工具１９で操作されるロック解除部２０が形成されている。
【００１２】
前記ロック部１８は、一方の挟持片１ａの自由端側にヒンジ２１を介して開閉自在に取り付けられた閉塞板２２及びその先端の弾性折り返し片２３と、他方の挟持片１ｂの自由端側に取り付けられた弾性折り返し片２３の格納ボックス２４とから成る。また前記ロック解除部２０は、格納ボックス２４に設けた工具１９の挿込口２５を有し、格納ボックス２４内の弾性折り返し片２３を圧縮操作できるようになっている。なお、格納ボックス２４の弾性折り返し片２３と係合する位置には、弾性折り返し片２３の出し入れを行うためのスリット２６が形成されている。
【００１３】
次に、このように構成されたクリップ１７のロックする場合と、ロックを解除する場合とを説明する。ロックする場合は、図１の図（Ａ）の開いた状態（図示略）の閉塞板２２を、ヒンジ２１を中心にして格納ボックス２４側へ回動させ、先端部の弾性折り返し片２３をスリット２６から格納ボックス２４内へ押し込んで格納する。このとき、弾性折り返し片２３は、Ｖ字状の下端部からスリット２６内へ進入を始め、折り返し片２３が圧縮された状態でスリット２６を通過する。そして、格納ボックス２４内へ完全に入り込んだ状態では、折り返しへ片２３は自らの弾性力により拡開し（図（Ａ）の状態）、格納ボックス２４から抜け出ることがない。つまり、閉塞板２２がクリップ１７の両挟持片１ａ及び１ｂどうしを連結してロック状態となる。
【００１４】
ロック解除は、図（Ｃ）に示すように、ドライバー等の工具１９を格納ボックス２４の挿込口２５から差し込んで弾性折り返し片２３をスリット２６を通過できるまで圧縮し、その状態で閉塞板２２を図（Ａ）の時計方向へ回動操作すればよい。このように、クリップ１７のロック部１８によるロック状態の解除は、格納ボックス２４内の弾性折り返し片２３を圧縮操作しない限りは行われないので、素手による子供等のイタズラでは決してクリップ１７を取り外すことは不可能である。
【００１５】
図２は、本発明の第２の実施の形態に係るクリップ２７を示すものである。このクリップ２７は、閉塞板２２をクリップ２７の本体とは分離できる別部材とし、挟持片１ａの自由端側に設けた開口２８から差し込んで他方の挟持片１ｂの自由端側に設けた格納ボックス２４内へ収納できるようにしたものである。この場合、スリット２６と、ドライバー等の工具１９の挿込口２５との位置は、前記第１の実施の形態の場合とは多少異なっているが、閉塞板２２に設けた弾性折り返し片２３と格納ボックス２４とを利用してロックすることと、ドライバー等の工具１９を用いてロック解除を行うこととは、前記第１の実施の形態の場合と同じである。
【００１６】
図３は、本発明外の第３の実施の形態に係るクリップ２９を示すものであり、図（Ａ）は一部断面平面図、図（Ｂ）はその部分拡大図、図（Ｃ）は左側面図である。同図に示す如く、このクリップ２９のロック部１８は、二つの挟持片１ａ及び１ｂの自由端側に跨がって取り付けられる螺子部材３０を有しており、他方側の挟持片１ｂには、前記螺子部材３０に螺合し、且つ螺子込み側へ傾斜する弾性爪片３１が設けられている。
【００１７】
挟持片１ａ及び１ｂの自由端側どうしの連結のロックは、螺子部材３０を単に押し込んで緊締するだけでよい。このとき、弾性爪片３１は螺子部材３０の螺子山を弾性変形することで越えることができる。従って、ロック時に螺子部材３０を工具１９等を用いて廻すことは不要である。一方、ロック解除は、ドライバー等の工具１９を用いて螺子部材３０を廻して螺脱させなければならない。これは、螺子部材３０を取り外す方向（図（Ａ）及び図（Ｂ）の右側方向）へは、弾性爪片３１が螺子山へ係合してその移動を阻止するからである。従って、このクリップ２９の場合も、素手による子供等のイタズラのみでは、ロック解除を行うことは不可能である。
【００１８】
図４は、本発明外の第４の実施の形態に係る抜止機構を示すものであり、図（Ａ）は上下のカバー部材３２及び３３を示す正面図、図（Ｂ）はクリップ１へ装着した状態の縦断面側面図である。この抜止機構におけるロック部１８は、二つの挟持片１ａ及び１ｂの自由端側にこれが開かないように上下方向から係合する上下のカバー部材３２及び３３と、上下のカバー部材３２，３３どうしを連結する弾性係止爪３４及びその係止口３５とから成る。ロック解除部２０は、上部カバー部材３２の下端側に設けた工具２９の挿込口３６を有している。
【００１９】
ロックする場合は、クリップ１の両挟持片１ａ及び１ｂの自由端側が開かないように、上下方向からカバー部材３２及び３３を重ね合わせて外嵌装着し、下部側のカバー部材３３に設けた弾性爪片３４を上部側のカバー部材３２に設けた係止口３５へ係合させればよい。このロック状態では、カバー部材３２及び３３を上下方向へ引っ張っても両者が分離することはない。ロックを解除する場合は、ドライバー等の工具１９を挿込口３６から差し込んで弾性係止爪３４を押し、係止口３５との係合を離脱させた後、カバー部材３２及び３３を上下方向へ引っ張って分離すればよい。なお、上下のカバー部材３２及び３３は、図８に示す従来の抜止カバー１２の場合と同じように、クリップ１の先端部が拡開しないようにする機能と、先端部のエッジと人体との直接的な接触防止を実現する機能とを有している。
【００２０】
ところで、本発明は上述した実施例に限定されるものではなく、適宜の変更が可能である。例えば、接続する相手方は接続管であってもよい。また本発明の具体的な適用部位としては、キッチン等のシングルレバー式水栓のキャビネット内における湯，水の導管の接続等が考えられる。
【００２１】
【発明の効果】
以上説明したように本発明の抜け防止機構付きクリップは、対向する二つの挟持片の一方側が連結され、他方側が自由端とされ、前記挟持片で二つの部材の突き合わせ端面部に形成したフランジどうしを接合した状態で挟持するクリップにおいて、自由端側に取り付けられて両挟持片を連結するロック部を備えて成り、該ロック部は連結を解除するときに工具で操作されるロック解除部が形成されている。従って、クリップの自由端側は、これをフランジどうしの接続部へ装着したあと、ロック部によりその抜止がなされる。そして、このロック部は工具を用いないとロック解除できない機構であり、素手による子供等のいたずらでは取り外すことができない。つまり、パブリックな場所においても、また痴呆性老人等がいる施設等においてもクリップを用いてフランジどうしをワンタッチ式で連結する施工が可能である。
【図面の簡単な説明】
【図１】本発明の第１の実施の形態に係る抜け防止機構付きクリップを示すものであり、図（Ａ）はクリップの一部断面平面図、図（Ｂ）は側面図、図（Ｃ）は斜視図である。
【図２】本発明の第２の実施の形態に係るクリップを示す一部断面平面図である。
【図３】本発明外の第３の実施の形態に係るクリップを示すものであり、図（Ａ）は一部断面平面図、図（Ｂ）はその部分拡大図、図（Ｃ）は左側面図である。
【図４】本発明外の第４の実施の形態に係る抜止機構を示すものであり、図（Ａ）は上下のカバー部材を示す正面図、図（Ｂ）はクリップへ装着した状態の縦断面側面図である。
【図５】管接続用のクリップを示す斜視図である。
【図６】接続管と相手方部材との接続要領を示す側面図である。
【図７】クリップを用いた従来の管の接続構造を示す斜視図である。
【図８】先願に係るクリップの抜け防止機構を示す斜視図である。
【符号の説明】
１ａ，１ｂ…挟持片                ２…管の挿通部
８…接続管のフランジ              ９…相手方部材のフランジ
１７…クリップ                    １８…ロック部
１９…ドライバー等の工具          ２０…ロック解除部
２１…ヒンジ                      ２２…閉塞板
２３…弾性折り返し片              ２４…格納ボックス
２５…工具挿込口                  ２７…クリップ
２９…クリップ                    ３０…螺子部材
３１…弾性爪片                    ３２…上部カバー部材
３３…下部カバー部材              ３４…弾性係止爪
３５…係止口                      ３６…工具挿込口
【図１】
0004000577.tif 000002
【図２】
0004000577.tif 000003
【図３】
0004000577.tif 000004
【図４】
0004000577.tif 000005
【図５】
0004000577.tif 000006
【図６】
0004000577.tif 000007
【図７】
0004000577.tif 000008
【図８】
0004000577.tif 000009